(57)【要約】【課題】人が気持ちよく就寝可能であり、就寝中の人から放出される水分に簡単に対応可能なベッドの提供。【解決手段】支承部１１とバネ部１４と床座部２０とからベッド１を形成し、床座部２０の頭側の縁部２１と足側の縁部２２とを、バネ部１４によって下から支持するとともに、バネ部１４の縁部２１側の部分と縁部２２側の部分とを、支承部１１によって下から支持し、ベッド１を側方から見て、支承部１１がバネ部１４を下から支持する水平方向の位置を、バネ部１４が床座部２０を下から支持する水平方向の位置よりも、中央側とし、床座部２０の下面を大気に開放する。【選択図】  図２
0003172817.tif 000002
【実用新案登録請求の範囲】
【請求項１】
基台と、当該基台の上に載置されて就寝者が身体を伸ばして横たわる床座部と、を、有し、
前記基台は、支承部と、当該支承部の上に載置されたバネ部と、を、有し、
前記床座部は、矩形の枠体と、就寝者が身体を横たえることを可能に当該枠体の内側に形成された床座と、を、有し、
前記床座部は、身体を伸ばして横たわる就寝者の頭側に位置する頭側縁側部分と、身体を伸ばして横たわる就寝者の足側に位置する足側縁側部分と、を、前記板バネ部によって下から支持されており、
前記バネ部は、前記床座部の前記頭側縁側部分側から前記足側縁側部分側へ伸びる板バネであり、
前記バネ部は、前記床座部の前記頭側縁側部分側において、前記支承部によって下から支持されているとともに、前記床座部の前記足側縁側部分側において、前記支承部によって下から支持されており、
側方から見ると、前記支承部が前記板バネ部を下から支持する位置が、前記板バネ部が前記床座部を下から支持する位置よりも、前記床座部の中央側に位置しており、
前記床座の下面が大気に開放されていることを特徴とするベッド。
【請求項２】
側方から見ると、前記バネ部が前記床座部の前記頭側縁側部分側において前記支承部によって支持される位置と、前記バネ部が前記床座部の前記足側縁側部分側において前記支承部によって支持される位置と、の中間の位置において、前記バネ部の上に前記床座部を支持する支持部が、前記バネ部と前記床座部とのうちの少なくともいずれか一方に形成されていることを特徴とする請求項１に記載のベッド。
【請求項３】
前記床座は、前記枠体の内側に互いに平行に配置された複数本の棒状体によって形成されていることを特徴とする請求項１又は請求項２に記載のベッド。
【考案の詳細な説明】
【技術分野】
【０００１】
本考案は、ベッドに関する。
【背景技術】
【０００２】
我々は、就寝するに際し、ベッドを使用することが多い。通常のベッドは、スプリングを内蔵するマットレスを有しており、人は、このマットレスの上に身体を横たえて就寝する（例えば、特許文献１を参照）。
このようなマットレスの上で人が寝た姿勢をとると、マットレスは、人の身体の形状に応じて変形する。通常、マットレスは、就寝者の腰が当たる周囲において大きく変形し、マットレス上の就寝者の姿勢は、腰が「く」の字形に曲がった形になる。
【０００３】
このため、就寝者は、身体をまっすぐに伸ばして眠ることができず、翌朝、目覚めたときに腰に痛みを感じることが多い。また、一晩寝ただけでは腰に痛みを感じなくても、何日間かにわたってこのようなマットレスで就寝を繰り返すと、腰に痛みを感じるようになることが多い。
そこで、マットレスの代わりに畳を敷いたベッドが、いわゆる「畳ベッド」として販売されている（例えば、非特許文献１を参照）。
【先行技術文献】
【特許文献】
【０００４】
【特許文献１】実公平６−１００８号公報
【非特許文献】
【０００５】
【非特許文献１】“有限会社モモダ家具  ベッド通販メニュー  畳ベッド”［２０１１年１０月１２日検索］インターネット＜ＵＲＬ：ＨＴＴＰ：／／ＷＷＷ．ＭＯＭＯＤＡ．ＣＯ．ＪＰ／ＢＥＤ／ＴＡＴＡＭＩＢＥＤＭＥＮＵ．ＨＴＭＬ＞
【考案の概要】
【考案が解決しようとする課題】
【０００６】
しかしながら、上述した畳ベッドにおいては、畳が木製の枠体の上に敷かれているのみであり、畳は枠体にしっかりと固定されて動かない。畳ベッドの上で就寝する人が寝返りをうったりすると、就寝者から畳ベッドに働く力は、そのまま反作用となって就寝者に返ってくる。このため、就寝者は、硬い床の上に寝ているのと同様の感覚を覚えることとなり、寝苦しさを感じる。就寝者は、結局、不自然な姿勢を取らざるを得ず、起床時に爽快感を得ることができない。
【０００７】
また、就寝中は、身体から水分が放出されるので、畳ベッドに敷かれた畳が湿りやすい。この結果、ただでさえ重量のある畳がさらに重くなってしまう。このような畳を日光に当てて干す作業は、重労働であり、畳ベッドの使用者に大きな負担を与える。
本考案は、上記問題を解決するものであり、その目的とするところは、人が気持ちよく就寝可能であり、就寝中の人から放出される水分に簡単に対応可能なベッドを提供することである。
【課題を解決するための手段】
【０００８】
本考案は、その課題を解決するために以下のような構成をとる。請求項１の考案に係るベッドは、基台と、当該基台の上に載置されて就寝者が身体を伸ばして横たわる床座部と、を、有し、前記基台は、支承部と、当該支承部の上に載置されたバネ部と、を、有し、前記床座部は、矩形の枠体と、就寝者が身体を横たえることを可能に当該枠体の内側に形成された床座と、を、有し、前記床座部は、身体を伸ばして横たわる就寝者の頭側に位置する頭側縁側部分と、身体を伸ばして横たわる就寝者の足側に位置する足側縁側部分と、を、前記板バネ部によって下から支持されており、前記バネ部は、前記床座部の前記頭側縁側部分側から前記足側縁側部分側へ伸びる板バネであり、前記バネ部は、前記床座部の前記頭側縁側部分側において、前記支承部によって下から支持されているとともに、前記床座部の前記足側縁側部分側において、前記支承部によって下から支持されており、側方から見ると、前記支承部が前記板バネ部を下から支持する位置が、前記板バネ部が前記床座部を下から支持する位置よりも、前記床座部の中央側に位置しており、前記床座の下面が大気に開放されていることを特徴とする。
【０００９】
就寝者が、床座に横たわり、寝返りをうつ等して身体を動かす。就寝者の動きが、床座部の頭側縁側部分と足側縁側部分とを介して、バネ部を下方に押圧する。バネ部は、床座部から押圧されて支承部の上で撓る。この撓りが床座部から働く力を逃がす。バネ部の撓りと戻りによって、床座部は、バネ部の上で穏やかに上下に揺れ動く。
就寝者が床座の上で身体を動かしたとしても、この動きに対する反作用が、ベッドを設置した部屋の床面から就寝者の身体に直接返ってくることはない。就寝者は、硬い床の上に寝ているような感覚を覚えることがなく、寝苦しさを感じることなく気持ちよく寝ることができる。
【００１０】
また、身体が沈み込むようなマットレスを使う必要がないので、就寝中、就寝者は、身体を不自然に曲げなくてもよい。したがって、目覚めた時に腰等に痛みを感じることもない。
さらに、床座の下面が大気に開放されているので、就寝者の身体から放出される水分は、床座の下面から大気中に容易に放出される。
なお、基台や床座部を木材によって形成することができる。特に、床座部を木材によって形成すれば、就寝者は、木材の優しい肌触りを感じつつ寝ることができる。
【００１１】
請求項２の考案に係るベッドは、請求項１に記載のベッドであって、側方から見ると、前記バネ部が前記床座部の前記頭側縁側部分側において前記支承部によって支持される位置と、前記バネ部が前記床座部の前記足側縁側部分側において前記支承部によって支持される位置と、の中間の位置において、前記バネ部の上に前記床座部を支持する支持部が、前記バネ部と前記床座部とのうちの少なくともいずれか一方に形成されていることを特徴とする。
【００１２】
床座部の頭側縁側部分側と足側縁側部分側とが、バネ部によって支持されることに加えて、床座部の頭側縁側部分側と足側縁側部分側との中間部分が支持部を介してバネ部によって支持される。この支持部が、バネ部の撓り量を制限する。バネ部の撓り量を制限することによって、床座部が上下に揺れ動く量を調節することができる。
【００１３】
請求項３の考案に係るベッドは、請求項１又は請求項２に記載のベッドであって、前記床座は、前記枠体の内側に互いに平行に配置された複数本の棒状体によって形成されていることを特徴とする。
床座は、いわゆるスノコ状をなしており、優れた通気性を有する。就寝者の身体から放出される水分は、棒状体どうし間の隙間を通って大気中に放出される。就寝者は、蒸れ等を感じることなく気持ちよく寝ることができる。
【００１４】
また、床座に茣蓙や布団を敷く場合、茣蓙や布団が就寝者の身体から吸収する水分は、棒状体どうし間の隙間を通って大気中に放出される。したがって、茣蓙や布団が湿ることが、容易に防止され、就寝者は、日々、気持ちよく寝ることができる。
特に、気温が高い季節や湿度が高くなる季節に、本考案に係るベッドを使用すれば、就寝者は非常に快適に寝ることができる。
【考案の効果】
【００１５】
上記のようなベッドであるので、人が気持ちよく就寝可能であり、就寝中の人から放出される水分に簡単に対応可能である。また、ベッドを木材によって形成することにより、間伐材等を有効活用可能である。
【図面の簡単な説明】
【００１６】
【図１】ベッドの上面図である。
【図２】ベッドを左側の側方から見たときの側面図である。
【図３】ベッドを頭側から見たときの側面図である。
【図４】図１のＡ−Ａ線部分断面図である。
【考案を実施するための形態】
【００１７】
本考案の実施の形態を図１から図４を参照しつつ説明する。
ベッド１は、基台１０と床座部２０とを有する。上方から見ると、基台１０と床座部２０は、ともに長方形をなしている。
なお、以下の説明において、「頭側」とは、ベッド１の長手方向の一方の端側のことをいうものとし、「足側」とは、ベッド１の長手方向の他方の端側のことをいうものとする。そして、就寝者が床座部２０に身体を伸ばして横たわる場合、就寝者の頭がベッド１の頭側に位置するものとし、足がベッド１の足側に位置するものとする。図１及び図２においては、図の右側が頭側であり、図の左側が足側である。また、「左側」とは、ベッド１を頭側から見た時の左側のことをいうものとし、「右側」とは、ベッド１を頭側から見た時の右側のことをいうものとする。
【００１８】
図２から図４に示すように、基台１０は、支承部１１とバネ部１４とを有する。支承部１１は、木製の台座１２と木製の第１の支持部１３と木製の脚１７とを有する。上方から見ると、台座１２は、長方形をなす。台座１２の下面の頭側と足側の２か所に左右方向に伸びる脚１７が取り付けられている。それぞれの脚１７の左右両側部分にはキャスター１６が取り付けられている。
【００１９】
台座１２の上面の四隅に、第１の支持部１３が螺子止めされて載置されている。ベッド１を左側側方から見ると、第１の支持部１３は、上部が尖った山形の断面を有している。
バネ部１４は、ベッド１の頭側から足側に伸びる２本の木製の板バネである。バネ部１４は、基台１０の右側と左側に１本ずつ配置されている。各バネ部１４の頭側部分と足側部分とが、それぞれ、第１の支持部１３の上に螺子止めされて載置されている。
【００２０】
図２及び図４に示すように、バネ部１４の頭側端部の上面と足側端部の上面とには、後述する第２の支持部２６の下端部形状に対応した窪みが形成されている。この窪みが、第１のずれ防止部１５をなす。
バネ部１４を第１の支持部１３に螺子止めするために形成された螺子穴（図示せず）の径は、この螺子止めに用いられる螺子（図示せず）の径よりもやや大きく、螺子穴と螺子の間には遊びが形成されている。
【００２１】
図１に示すように、床座部２０は、木製の枠体２３と木製の床座２４とを有する。枠体２３の内側には、複数本の棒状体２５が互いに平行に配置されており、これらの棒状体２５がスノコ状に床座２４を形成している。上方から見ると、枠体２３と床座２４は、ともに長方形をなしている。
図２から図４に示すように、床座部２０の頭側の縁部２１の下側と足側の縁部２２の下側とには、木製の第２の支持部２６が取り付けられている。第２の支持部２６は、左右方向に伸びる角材である。
【００２２】
さらに、第２の支持部２６の下側には、第２のずれ防止部２８が取り付けられている。第２のずれ防止部２８は、左右方向に伸びる角材からなり、バネ部１４をなす２本の板バネどうしの左右方向の間隔に対応した長さを有する。
ベッドを左右両側において、バネ部１４の頭側端部の上と足側端部の上とに、第２の支持部２６が載っている。第２の支持部２６の下端部は、第１のずれ防止部１５に嵌っている。また、第２のずれ防止部２８が、バネ部１４をなす２本の板バネどうしの間に嵌っている。
【００２３】
図２に示すように、ベッドを左側の側方から見ると、縁部２１と縁部２２との間の中央の位置において、木製の第３の支持部２７が床座部２０の下側に取り付けられている。第３の支持部２７も左右方向に伸びる角材である。そして、バネ部１４の上に、第３の支持部２７が載っている。
さらに、第２の支持部２６と第３の支持部２７との中間の位置において、木製の補強用桟２９が床座部２０の下に取り付けられている。補強用桟２９の下端とバネ部１４の上面との間には充分な間隔の隙間が形成されている。
【００２４】
床座部２０は、第２の支持部２６と第３の支持部２７とを介して、バネ部１４によって下から支持されている。換言すれば、床座部２０の頭側縁側部分（すなわち、縁部２１）と、床座部２０の足側縁側部分（すなわち、縁部２２）と、これらの縁側部分の中間部分とが、バネ部１４によって下から支持されている。図２に示すように、ベッドを左側の側方から見ると、第１の支持部１３がバネ部１４を支持する水平方向の位置は、第２の支持部２６がバネ部１４の上に載っている水平方向の位置よりも、第３の支持部２７側にある。そして、床座部２０の下面は、大気に開放されている。
【００２５】
ベッド１は、以上に説明した構成を有する。次に，ベッド１が奏する作用効果について説明する。
ベッド１が室内の床３０の上に設置されている。就寝者が、床座２４に茣蓙（図示せず）を敷き、この茣蓙の上に身体を伸ばして横たわる。就寝者が、床座２４の上で寝返りをうったり、身体を動かしたりする。就寝者の身体の動きによって、床座部２０が、バネ部１４を下方に押圧する。この押圧する力は、第２の支持部２６と第３の支持部２７とを介してバネ部１４に働く。
【００２６】
第２の支持部２６から働く力は、バネ部１４の頭側端部と足側端部を下方に押圧するので、バネ部１４は山形に撓もうとする。しかし、バネ部１４の中央部は第３の支持部２７によって下方に押圧されるので、バネ部１４が撓む量は適度に抑制される。バネ部１４の撓みと戻りによって、床座部２０が上下に揺れ動く。
なお、バネ部１４が第１の支持部１３の上で撓んでも、バネ部１４を第１の支持部１３に螺子止めする螺子と、この螺子が貫通している螺子穴と、の間には、遊びが形成されているので、バネ部１４や第１の支持部１３に無理な力が働くことが防止される。
【００２７】
就寝者が床座２４の上で身体を動かしたとしても、この身体の動きに対する反作用が、床３０から就寝者の身体に直接返ってくることはない。したがって、就寝者が硬い床３０の上に直接寝ているような感覚を覚えることがなく、気持ちよく寝ることができる。そして、身体が深く沈み込むようなマットレスを使う必要がないので、就寝者は、目覚めた時に腰等に痛みを感じることもない。
【００２８】
就寝中に就寝者がかく寝汗は、床座部２０の下面から大気に放散される。したがって、就寝中、就寝者が蒸れ等の不快感を感じることもない。
また、就寝者の身体の動きによって床座部２０が揺れ動いたとしても、床座部２０がバネ部１４の上でずれ動くことを、第１のずれ防止部１５と第２のずれ防止部２８が防止する。
【００２９】
床座部２０が上下に揺れ動く量は、第３の支持部２７の下端とバネ部１４の上面との間に、隙間を設けて、この隙間の間隔を増減することによって調節することができる。また、ベッドを左右の側方から見た際の第１の支持部１３と第２の支持部２６との水平方向の距離を増減することによっても、床座部２０が上下に揺れ動く量を調節することができる。
【００３０】
本実施の形態では、台座１２が一枚の長方形の板材によって形成されているとした。
かかる構成に代えて、台座１２がベッド１の頭側から足側に伸びる２本の木製の板材によって形成されていてもよい。例えば、台座１２をなす２本の木製の板材と２本の脚１７とを井桁に組み、この井桁の上面の四隅に第１の支持部１３を載置することによって、支承部１１を形成することができる。また、台座１２をなす２本の木製の板材と２本の脚１７とを長方形の枠状に組み、この長方形の枠の上面の四隅に第１の支持部１３を載置することによって、支承部１１を形成することもできる。かかる構成とすることで、床座部２０の下面から大気への水分の放散効率をより大きなものにすることができる。
【００３１】
本実施の形態では、図１及び図２に示すように、上方から見たときに、基台１０の大きさは、床座部２０とほぼ同じ大きさである。
かかる構成に代えて、上方から見たときに、基台１０の大きさは、床座部２０よりも小さな大きさであってもよいし、床座部２０よりも大きな大きさであってもよい。上方から見たときに、基台１０の大きさが床座部２０よりも小さな大きさであれば、就寝者がベッド１に上がろうとする際に、身体の一部を基台１０にぶつけたりすることを防止することができる。
【００３２】
本実施の形態では、図１及び図２に示すように、バネ部１４の長手方向の長さは、床座部２０の長手方向の長さとほぼ同じ長さである。
かかる構成に代えて、バネ部１４の長手方向の長さは、床座部２０の長手方向の長さよりも長くてもよいし、床座部２０の長手方向の長さよりも短くてもよい。
【００３３】
本実施の形態では、図１及び図２に示すように、桟２９の本数は２本である。桟２９の本数が２本に限定されるものではないことは勿論である。枠体２３や棒状体２５の強度に応じて桟２９の本数を増減することが可能である。
また、桟２９を第２の支持部２６や第３の支持部２７に桟２９を沿わせて設置することができる。このように桟２９を設置することにより、第２の支持部２６や第３の支持部２７の強度を高めることができる。
【産業上の利用可能性】
【００３４】
上記のようなベッドであるので、就寝者の身体に無理な負担をかけることがないベッドとして有用である。
【符号の説明】
【００３５】
１    ベッド
１０    基台
１１    支承部
１２    台座
１３    第１の支持部
１４    バネ部
１５    第１のずれ防止部
１６    キャスター
１７    脚
２０    床座部
２１    床座部の頭側の縁部
２２    床座部の足側の縁部
２３    枠体
２４    床座
２５    棒状体
２６    第２の支持部
２７    第３の支持部
２８    第２のずれ防止部
２９    桟
３０    ベッドが設置される室内の床
【図１】
0003172817.tif 000003
【図２】
0003172817.tif 000004
【図３】
0003172817.tif 000005
【図４】
0003172817.tif 000006